(57)【要約】【課題】外部から入力モードを指示する信号を取得できない場合であっても入力モードを適切に切り替えることが可能な通信端末を提供する。【解決手段】移動機１では、テレビ電話信号を受信してＴＶ電話画像を表示し、同時に、ウェブ受信信号を受信してウェブ画像を表示する。そして、テレビ電話信号とウェブ受信信号との少なくともいずれか一方の信号の解析結果に基づいて、ＰＢモードとウェブモードとの設定の切り替えを行うか否か判断し、その判断に応じて入力モードの設定の切り替えを行う。続いて、ユーザから入力を受け付けると、設定された入力モードに応じた送信信号を送信する。このようにして、移動機１において自立的に入力モードの切り替えを判断する。【選択図】図３
2009004904.tif 000002
【特許請求の範囲】
【請求項１】
第１のアプリケーションに応じた第１の受信信号と第２のアプリケーションに応じた第２の受信信号とを受信する受信手段と、
前記受信手段によって受信された第１の受信信号に基づく第１の画像と第２の受信信号に基づく第２の画像とを同時に表示する表示手段と、
前記受信手段によって受信された第１の受信信号と第２の受信信号との少なくともいずれか一方の信号の解析結果に基づいて、前記第１のアプリケーションに応じた第１の入力モードと前記第２のアプリケーションに応じた第２の入力モードとの設定の切り替えを行うか否か判断する判断手段と、
前記判断手段による判断に応じて、前記第１の入力モードと前記第２の入力モードとの設定の切り替えを行う切替手段と、
ユーザからの入力を受け付ける入力手段と、
前記第１の入力モードに設定されている場合には、前記入力手段によって受け付けられた入力に応じて前記第１の入力モードに対応する第１の送信信号を送信し、前記第２の入力モードに設定されている場合には、前記入力手段によって受け付けられた入力に応じて前記第２の入力モードに対応する第２の送信信号を送信する送信手段と、
を備えることを特徴とする通信端末。
【請求項２】
前記受信手段によって受信される前記第１の受信信号を解析することにより、前記第１の受信信号に含まれる音声信号を検出する音検出手段を備え、
前記判断手段は、前記音検出手段による解析の結果、音声信号が所定時間検出されない場合に、前記第１の入力モードから前記第２の入力モードへ切り替えると判断することを特徴とする請求項１に記載の通信端末。
【請求項３】
前記受信手段によって受信される前記第１の受信信号を解析することにより、前記表示手段によって表示される第１の画像の変化を検出する画像検出手段を備え、
前記判断手段は、前記画像検出手段による解析の結果、第１の画像の変化が所定時間検出されない場合に、前記第１の入力モードから前記第２の入力モードへ切り替えると判断することを特徴とする請求項１又は２に記載の通信端末。
【請求項４】
前記通信端末の位置を特定する位置情報を取得する位置特定手段と、
前記受信手段によって受信される前記第２の受信信号を解析することにより、前記第２のアプリケーションによって提供される情報と関連性の高い位置を抽出する位置抽出手段と、を備え、
前記判断手段は、前記位置特定手段によって取得された位置情報によって特定される位置と前記位置抽出手段によって抽出され位置との間の距離が所定範囲内である場合に、前記第１の入力モードから前記第２の入力モードへ切り替えると判断することを特徴とする請求項１〜３のいずれか１項に記載の通信端末。
【請求項５】
受信手段が、第１のアプリケーションに応じた第１の受信信号と第２のアプリケーションに応じた第２の受信信号とをそれぞれ受信する受信ステップと、
表示手段が、前記受信ステップにおいて受信された第１の受信信号に基づく第１の表示と第２の受信信号に基づく第２の表示とを同時に表示する表示ステップと、
判断手段が、前記受信ステップにおいて受信された第１の受信信号と第２の受信信号との少なくともいずれか一方の信号の解析結果に基づいて、前記第１のアプリケーションに応じた第１の入力モードと前記第２のアプリケーションに応じた前記第２の入力モードとの設定の切り替えを行うか否か判断する判断ステップと、
切替手段が、前記判断ステップにおける判断に応じて、前記第１の入力モードと前記第２の入力モードとの設定の切り替えを行う切替ステップと、
入力手段が、ユーザからの入力を受け付ける入力ステップと、
送信手段が、前記第１の入力モードに設定されている場合には、前記入力ステップにおいて受け付けられた入力に応じて前記第１の入力モードに対応する第１の送信信号を送信し、前記第２の入力モードに設定されている場合には、前記入力ステップにおいて受け付けられた入力に応じて前記第２の入力モードに対応する第２の送信信号を送信する送信ステップと、
を備えることを特徴とする入力モード切替方法。
【発明の詳細な説明】
【技術分野】
【０００１】
本発明は、入力モードを切り替える通信端末、及び、その入力モード切替方法に関する。
【背景技術】
【０００２】
従来から、テレビ電話やウェブ通信等のアプリケーションを実行可能な通信端末がある。この種の通信端末では、テレビ電話を実行しているときに、キー入力を受け付けると、テレビ電話に応じた入力モードでキー入力に応じた信号が生成される。また、ウェブ通信を実行しているときに、キー入力を受け付けると、ウェブ通信に応じた入力モードでキー入力に応じた信号が生成される。このように、通信端末では、アプリケーションに応じた入力モードが設定される。
【０００３】
近年、通信端末において、２つのアプリケーションを同時に実行する技術がある。例えば、通信端末において、テレビジョン放送とデータ放送との２つの放送映像をディスプレイに同時に表示する技術がある。この場合、通信端末においてテレビジョン放送とデータ放送とのいずれか一方のアプリケーションに対応する入力モードに設定する必要がある。そこで、下記特許文献１では、どちらの入力モードに設定すべきか指示する指示信号をデータ放送の信号に含めて送信し、通信端末では指示信号に応じて入力モードを切り替える技術が提案されている。
【特許文献１】特開２００６−５９１１７号公報
【発明の開示】
【発明が解決しようとする課題】
【０００４】
上記特許文献１の技術は、テレビジョン放送とデータ放送とが連動している場合の技術である。このような場合は、双方の放送に合わせて、配信側からどちらの入力モードに設定すべきか指示する指示信号を送信することができる。しかしながら、配信側から指示信号が提供されない場合がある。特に、２つのアプリケーションが連動していない場合は、配信側から指示信号を送信することはできない。このような場合、通信端末において入力モードを適切に設定することができない。
【０００５】
そこで本発明は、外部から入力モードを指示する信号を取得できない場合であっても、入力モードの設定を適切に切り替えることが可能な通信端末、及びその入力モード切替方法を提供することを目的とする。
【課題を解決するための手段】
【０００６】
本発明の通信端末は、第１のアプリケーションに応じた第１の受信信号と第２のアプリケーションに応じた第２の受信信号とを受信する受信手段と、受信手段によって受信された第１の受信信号に基づく第１の画像と第２の受信信号に基づく第２の画像とを同時に表示する表示手段と、受信手段によって受信された第１の受信信号と第２の受信信号との少なくともいずれか一方の信号の解析結果に基づいて、第１のアプリケーションに応じた第１の入力モードと第２のアプリケーションに応じた第２の入力モードとの設定の切り替えを行うか否か判断する判断手段と、判断手段による判断に応じて、第１の入力モードと第２の入力モードとの設定の切り替えを行う切替手段と、ユーザからの入力を受け付ける入力手段と、第１の入力モードに設定されている場合には、入力手段によって受け付けられた入力に応じて第１の入力モードに対応する第１の送信信号を送信し、第２の入力モードに設定されている場合には、入力手段によって受け付けられた入力に応じて第２の入力モードに対応する第２の送信信号を送信する送信手段と、を備えることを特徴とする。
【０００７】
本発明の入力モード切替方法は、受信手段が、第１のアプリケーションに応じた第１の受信信号と第２のアプリケーションに応じた第２の受信信号とをそれぞれ受信する受信ステップと、表示手段が、受信ステップにおいて受信された第１の受信信号に基づく第１の表示と第２の受信信号に基づく第２の表示とを同時に表示する表示ステップと、判断手段が、受信ステップにおいて受信された第１の受信信号と第２の受信信号との少なくともいずれか一方の信号の解析結果に基づいて、第１のアプリケーションに応じた第１の入力モードと第２のアプリケーションに応じた第２の入力モードとの設定の切り替えを行うか否か判断する判断ステップと、切替手段が、判断ステップにおける判断に応じて、第１の入力モードと第２の入力モードとの設定の切り替えを行う切替ステップと、入力手段が、ユーザからの入力を受け付ける入力ステップと、送信手段が、第１の入力モードに設定されている場合には、入力ステップにおいて受け付けられた入力に応じて第１の入力モードに対応する第１の送信信号を送信し、第２の入力モードに設定されている場合には、入力ステップにおいて受け付けられた入力に応じて第２の入力モードに対応する第２の送信信号を送信する送信ステップと、を備えることを特徴とする。
【０００８】
本発明によれば、第１の受信信号を受信して第１の画像を表示し、同時に、第２の受信信号を受信して第２の画像を表示する。すなわち、２つのアプリケーションを同時に実行する。そして、第１の受信信号と第２の受信信号との少なくともいずれか一方の信号の解析結果に基づいて、第１のアプリケーションに応じた第１の入力モードと第２のアプリケーションに応じた第２の入力モードとの設定の切り替えを行うか否か判断する。すなわち、通信端末において２つのアプリケーションを実行中に、どちらのアプリケーションに応じた入力モードに設定すべきか自立的に判断する。続いて、その判断に応じて入力モードの設定の切り替えを行うので、外部から入力モードを指示する信号を取得できない場合であっても、入力モードを適切に切り替えることができる。そして、ユーザから入力を受け付けると、設定された入力モードに応じた送信信号を送信する。従って、ユーザが２つのアプリケーションを実行中に入力手段を介して入力を行うと、入力モードの切り替えを意識せずとも、適切な方のアプリケーションに対応すると共に入力に応じた信号を送信することができる。
【０００９】
好ましくは、受信手段によって受信される第１の受信信号を解析することにより、第１の受信信号に含まれる音声信号を検出する音検出手段を備え、判断手段は、音検出手段による解析の結果、音声信号が所定時間検出されない場合に、第１の入力モードから第２の入力モードへ切り替えると判断する。
【００１０】
例えば、第１のアプリケーションとしてテレビ電話が実行されている場合、音声信号が所定時間検出されないときには、通話が進展していないと推測できる。よって、このタイミングでは、ユーザが第２のアプリケーションに対応する入力を所望する可能性が高い。このような場合、第２のアプリケーションに対応した入力モード（第２の入力モード）に切り替えることが望ましい。従って、音声信号が所定時間検出されない場合に、第１の入力モードから第２の入力モードへ切り替えると判断することにより、入力モードの切り替えを適切に判断することができる。
【００１１】
好ましくは、受信手段によって受信される第１の受信信号を解析することにより、表示手段によって表示される第１の画像の変化を検出する画像検出手段を備え、判断手段は、画像検出手段による解析の結果、第１の画像の変化が所定時間検出されない場合に、第１の入力モードから第２の入力モードへ切り替えると判断する。
【００１２】
例えば、第１の画像の変化が所定時間検出されないときには、第１の画像に進展がないと推測できる。このタイミングでは、ユーザが第２のアプリケーションに対応する入力を所望する可能性が高い。このような場合、第２のアプリケーションに対応した入力モード（第２の入力モード）に切り替えることが望ましい。従って、第１の画像の変化が所定時間検出されない場合に、第１の入力モードから第２の入力モードへ切り替えると判断することにより、入力モードの切り替えを適切に判断することができる。
【００１３】
好ましくは、通信端末の位置を特定する位置情報を取得する位置特定手段と、受信手段によって受信される第２の受信信号を解析することにより、第２のアプリケーションによって提供される情報と関連性の高い位置を抽出する位置抽出手段と、を備え、判断手段は、位置特定手段によって取得された位置情報によって特定される位置と位置抽出手段によって抽出され位置との間の距離が所定範囲内である場合に、第１の入力モードから第２の入力モードへ切り替えると判断する。
【００１４】
例えば、第２のアプリケーションによって提供される情報が、特定の位置に応じた情報である場合、その特定の位置付近に通信端末が位置するときには、第２のアプリケーションに対応した入力モード（第２のモード）に切り替えることが望ましい。従って、通信端末の位置が第２のアプリケーションによって提供される情報と関連性の高い位置付近である場合に、第１の入力モードから第２の入力モードへ切り替えると判断することにより、入力モードの切り替えを適切に判断することができる。
【発明の効果】
【００１５】
本発明では、通信端末において自立的に入力モードの切り替えを判断するので、外部から入力モードを指示する信号を取得できない場合であっても入力モードの設定を適切に切り替えることができる。従って、ユーザが２つのアプリケーションを実行中に入力手段を介して入力を行うと、入力モードの切り替えを意識せずとも、適切な方のアプリケーションに対応すると共に入力に応じた信号を送信することができる。
【発明を実施するための最良の形態】
【００１６】
本発明に係る通信端末及び入力モード切替方法の実施形態について図面を参照して説明する。最初に、図１を参照して、本実施形態に係る移動機（通信端末）１の構成について説明する。図１は、本実施形態にかかる移動機の構成を示す図である。
【００１７】
移動機１は、携帯電話、ＰＨＳ（Personal Handy-phoneSystem）等の通信端末である。移動機１は、無線ネットワークＮを介して他の通信端末と情報の送受信を行うことにより、各種のアプリケーションを実行可能に構成されている。各種のアプリケーションとは、テレビ通話、ウェブサイトの閲覧等である。具体的には、移動機１は、移動機２とテレビ電話が可能に構成されている。また、移動機１は、ウェブサーバ３から提供されるウェブサイトを閲覧して、ウェブサーバ３へ情報を送信することが可能に構成されている。
【００１８】
アプリケーションを実行する際には、移動機１は、実行するアプリケーションに適した入力モードに切り替える。入力モードとは、移動機１が備えるキー（入力手段）１１に対して、アプリケーションに対応した情報を示すと共にアプリケーションに対応した形式の信号を関連付けるものである。
【００１９】
具体的には、移動機１においてテレビ電話を実行する際には、移動機１はテレビ電話に応じたＰＢ（Push Button）モード（第１の入力モード）に設定される。ＰＢモードでは、ユーザによって移動機１のキー１１が押下されると、キー１１に割り振られたキー指定信号が無線ネットワークＮに送出される。当該キー指定信号は無線ネットワークＮを経由して接続相手（移動機２）を収容する交換機に届く。移動機２を収容する交換機では、受信したキー指定信号をＰＢ信号に変換し、移動機２に送出する。なお、ＰＢ信号は、音声通信上に重畳される。
【００２０】
移動機１においてウェブサイトの閲覧及び情報の送信を実行する際には、移動機１は、ウェブモード（第２の入力モード）に設定される。ウェブモードでは、ユーザによって移動機１のキーが押下されると、キーに割り振られたＪＩＳコードが無線ネットワークＮに送出される。そして、ウェブサーバ３でＪＩＳコードを受信して情報変換する。移動機１では、送出したＪＩＳコードを文字に変換し、表示部１２に表示する。これにより、移動機１からウェブサーバ３に送信した情報が表示部１２に表示されることとなる。なお、ＪＩＳコードは、データ通信モードで送信される。
【００２１】
また、移動機１は、２つのアプリケーションを同時に実行可能に構成されている。本実施形態では、移動機１が、移動機２とテレビ電話を行うと同時に、ウェブサーバ３から提供されるウェブサイトの閲覧及び情報の送受信が可能に構成されている。移動機１は、２つのアプリケーションを同時に実行している間、受信する情報に基づいて、どちらのアプリケーションに対応した入力モードに設定するか自立的に判断して、入力モードの設定を切り替える。
【００２２】
そのため、移動機１は、機能的な構成要素として、上述したキー１１及び表示部１２に加えて、送受信部（送信手段及び受信手段）１３、切替部（切替手段）１４、判断部（判断手段）１５、解析部１６を備えている。これらの各構成要素について詳細に説明する。
【００２３】
キー１１は、複数設けられており、ユーザからの入力を受け付ける。キー１１は、複数のキー１１のうち、ユーザによって押下されたキー１１を特定する信号を切替部１４へ出力する。
【００２４】
送受信部１３は、信号の送受信を行う。また、送受信部１３は、受信した信号を表示部１２へ出力する。より具体的には、送受信部１３は、ＲＦ帯ＴＲＸ１７と無線ＬＡＮ帯ＴＲＸ１８とを備える。
【００２５】
ＲＦ帯ＴＲＸ１７は、ＲＦ帯の信号に対応した送受信機である。ＲＦ帯ＴＲＸ１７は、移動機２から送信されるテレビ電話に対応したテレビ電話信号（第１の受信信号）を受信する。テレビ電話信号には、音声信号と画像信号とが含まれる。また、ＲＦ帯ＴＲＸ１７は、キー１１による入力に応じて生成されると共にＰＢモードに対応するＰＢ送信信号（キー指定信号）を送信する。
【００２６】
無線ＬＡＮ帯ＴＲＸ１８は、無線ＬＡＮ帯の信号に対応した送受信機である。無線ＬＡＮ帯ＴＲＸ１８は、ウェブサーバ３から送信されるウェブ受信信号を受信する。また、無線ＬＡＮ帯ＴＲＸ１８は、キー１１による入力に応じて生成されると共にウェブモードに対応するウェブ送信信号（ＪＩＳコード）を送信する。
【００２７】
表示部１２は、物理的にはディスプレイ等で構成されている。表示部１２は、送受信部１３から入力されたテレビ電話信号に含まれる画像信号に基づいて、テレビ電話画像（第１の画像）を表示する。また、表示部１２は、送受信部１３から入力されたウェブ受信信号に基づいてウェブ画像（第２の画像）を表示する。
【００２８】
表示部１２は、第１の表示部１９と第２の表示部２０とを備える。図２に示すように、第１の表示部１９は、矩形のディスプレイ上において、上部の領域に設けられ、第２の表示部２０は、下部の領域に設けられている。第１の表示部１９は、テレビ電話画像を表示し、第２の表示部２０は、ウェブ画像を表示する。これにより、表示部１２は、テレビ電話画像とウェブ画像とを同時に表示する。
【００２９】
切替部１４は、判断部１５から入力モードの切り替えを行うと判断した結果を示す信号を入力すると、ＰＢモードとウェブモードとの設定の切り替えを行う。また、切替部１４は、ＰＢモードに設定されている場合は、キー１１から信号を入力すると、キー１１に応じたＰＢ送信信号を生成してＲＦ帯ＴＲＸ１７へ出力する。この場合、ＰＢ送信信号は、キー１１に割り振られた意味を示すと共に、ＰＢモードに対応した形式の信号である。これにより、ＰＢモードに設定されている場合には、送受信部１３は、キー１１によって受け付けられた入力に応じてＰＢモードに対応するＰＢ送信信号を送信することとなる。
【００３０】
また、切替部１４は、ウェブモードに設定されている場合は、キー１１から信号を入力すると、ウェブ送信信号を生成して無線ＬＡＮ帯ＴＲＸ１８へ出力する。この場合、ウェブ送信信号は、キー１１に割り振られた意味を示すと共にウェブモードに対応した形式の信号である。これにより、ウェブモードに設定されている場合には、送受信部１３は、キー１１によって受け付けられた入力に応じてウェブモードに対応するウェブ送信信号を送信することとなる。
【００３１】
判断部１５は、解析部１６によるテレビ電話信号とウェブ受信信号との解析結果に基づいて、ＰＢモードとウェブモードとの設定の切り替えを行うか否か判断する。判断部１５は、入力モードの切り替えを行うと判断した場合に、その旨の判断結果を示す信号を切替部１４へ出力する。
【００３２】
判断部１５の判断方法について、解析部１６の解析内容と共に説明する。解析部１６は、音検出部（音検出手段）２１、画像検出部（画像検出手段）２２、ＧＰＳ（位置特定手段）２３、位置抽出部（位置抽出手段）２４、及びカウンタ２５を備える。
【００３３】
音検出部２１は、テレビ電話信号を解析することにより、テレビ電話信号に含まれている音声信号を検出する。具体的には、音検出部２１は、テレビ電話信号から音声信号の形式の信号を取り出し、取り出した信号を解析して、所定値レベル以上の信号が検出された場合に、音声信号を検出したと判断する。音声信号が所定時間検出されないときには、テレビ電話における会話が進展していないと推測できる。よって、このタイミングでは、ユーザがウェブサイトに対応する入力を所望する可能性が高い。このような場合、入力モードはウェブモードに設定されるのが最適である。
【００３４】
そこで、判断部１５は、音検出部２１による解析の結果、ＰＢモードに設定されている状態で音声信号が所定時間検出されない場合に、ＰＢモードからウェブモードへ切り替えると判断する。また、判断部１５は、ウェブモードに設定されている状態で音声信号が所定時間検出された場合には、ウェブモードからＰＢモードへ切り替えると判断する。なお、判断部１５は、カウンタ２５の出力に基づいて、所定時間経ったか否か把握する。
【００３５】
画像検出部２２は、テレビ電話信号を解析することにより、テレビ電話画像の変化を検出する。具体的には、画像検出部２２は、テレビ電話信号からテレビ電話の画像信号を取り込み、取り込んだ画像信号を解析することにより、テレビ電話画像のビットパターンの変化を算出する。そして、ビットパターンが所定以上変化した場合に、画像検出部２２は、テレビ電話画像が変化したと判断する。
【００３６】
テレビ電話画像の変化が所定時間検出されないときには、テレビ電話における会話が進展していないと推測できる。よって、このタイミングでは、ユーザがウェブサイトに対応する入力を所望する可能性が高い。このような場合、入力モードは、ウェブモードに設定されるのが最適である。
【００３７】
そこで、判断部１５は、画像検出部２２による解析の結果、ＰＢモードに設定されている状態でテレビ電話画像の変化が所定時間検出されない場合に、ＰＢモードからウェブモードへ切り替えると判断する。また、判断部１５は、ウェブモードに設定されている状態でテレビ電話画像の変化が所定時間検出された場合に、ウェブモードからＰＢモードへ切り替えると判断する。
【００３８】
ＧＰＳ２３は、全地球測位システムを用いて、移動機１の位置を算出する。ＧＰＳ２３によって算出される移動機１の位置は、緯度経度で示される。位置抽出部２４は、ウェブ受信信号を解析することにより、ウェブ画像と関連性の高い位置を抽出する。
【００３９】
例えば、移動機１が特定のデパートのウェブサイトを閲覧している場合、ウェブ受信信号には、特定のデパートの位置を示す情報が含まれている場合がある。位置抽出部２４は、その特定のデパートの位置を示す情報をウェブ受信信号から抽出して、デパートの位置を特定する。位置抽出部２４によって特定されるウェブ画像と関連性の高い位置は、緯度経度で示される。
【００４０】
移動機１がウェブサイトと関連性の高い位置付近に位置するときには、ユーザがウェブサイトに対応する入力を所望する可能性が高い。このような場合、入力モードは、ウェブモードに設定されるのが最適である。そこで、判断部１５は、ＰＢモードに設定されている状態で、ＧＰＳ２３によって算出される位置と位置抽出部２４によって特定される位置との間の距離が所定距離以内である場合に、移動機１がウェブサイトと関連性の高い所定の位置にいると判断して、ＰＢモードからウェブモードへ切り替えると判断する。判断部１５は、ウェブモードに設定されている状態で、ＧＰＳ２３によって算出される位置と位置抽出部２４によって特定される位置との間の距離が所定距離より大きくなった場合に、移動機１がウェブサイトと関連性の高い所定の位置にいないと判断して、ウェブモードからＰＢモードへ切り替えると判断する。
【００４１】
以上説明した移動機１の各機能は、図３に示すハードウェアによって実現される。図３は、本実施形態に係る移動機のハードウェア構成図である。移動機１は、物理的には、図３に示すように、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。
【００４２】
図１において説明した各機能は、図３に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００４３】
引き続いて、移動機１の動作を説明すると共に、２つのアプリケーションを同時に実行している場合に、入力モードを切り替えるモード切替方法について説明する。図４は、本実施形態に係る移動機の動作概要を示すフロー図である。
【００４４】
まず、テレビ電話信号とウェブ受信信号とが、送受信部１３が備えるＰＦ帯ＴＲＸ１７と無線ＬＡＮ帯ＴＲＸ１８によってそれぞれ受信される（受信ステップＳ１）。受信されたテレビ電話信号に基づくテレビ電話画像とウェブ受信信号に基づくウェブ画像とが、第１の表示部１９と第２の表示部２０とによってそれぞれ同時に表示される（表示ステップＳ２）。
【００４５】
テレビ電話信号及びウェブ受信信号の解析結果に基づいて、ＰＢモードとウェブモードとの設定の切り替えを行うか否かが、判断部１５によって判断され、切り替えると判断された場合は、入力モードの設定が切替部１４によって切り替えられる（判断及び切替ステップＳ３）。
【００４６】
また、ユーザからの入力が、キー１１によって受け付けられる（入力ステップＳ４）。すると、ＰＢモードに設定されている場合には、入力ステップにおいて受け付けられた入力に応じてＰＢモードに対応するＰＢ送信信号が、ＲＦ帯ＴＲＸ１７によって移動機２へ送信される。ウェブモードに設定されている場合には、入力ステップにおいて受け付けられた入力に応じてウェブモードに対応するウェブ送信信号が、無線ＬＡＮ帯ＴＲＸ１８によってウェブサーバ３へ送信される（送信ステップＳ５）。
【００４７】
以上のようにして、入力モードの切り替えが行われ、ユーザの入力に応じた信号がアプリケーションに対応した宛先に送信される。なお、判断及び切替ステップＳ３は、テレビ電話信号とウェブ受信信号の受信が開始された後、ユーザからの入力に係わらず所定の間隔で実行することが好ましい。
【００４８】
引き続いて、この判断及び切替ステップＳ３における判断方法についてより詳細に説明する。最初に、図５を参照して、音声信号に基づく判断方法について説明する。図５は、本実施形態に係る移動機の音声信号に基づく判断時の動作を示すフロー図である。
【００４９】
まず、テレビ電話接続及びウェブ接続が同時にされている状態となると（ステップＳ１１でＹＥＳ）、テレビ電話信号の解析が開始され、テレビ電話の音声信号の取り込み処理が、音検出部２１によってなされる（ステップＳ１２）。
【００５０】
音声信号が取り込まれ、音声信号が音検出部２１によって検出されたと判断された場合（ステップＳ１３でＹＥＳ）、カウンタＶに１がカウンタ２５によって加算される（ステップＳ１４）。そして、カウンタＮがカウンタ２５によってクリアされる（ステップＳ１５）。
【００５１】
続いて、カウンタＶが５より小さい場合（ステップＳ１６でＮＯ）、ステップＳ１２に戻って、再び、テレビ電話の音声信号の取り込み処理が実行される。カウンタＶが５以上である場合（ステップＳ１６でＹＥＳ）、ＰＢモードに設定される（ステップＳ１７）。すなわち、ＰＢモードに既に設定されている場合は、入力モードの切替は行わない。ウェブモードに設定されている場合は、ウェブモードからＰＢモードへ変換する旨の信号が、判断部１５によって出力され、切替部１４によって入力モードがＰＢモードに設定される。
【００５２】
一方、音声信号が取り込まれ、音声信号が音検出部２１によって検出されなかったと判断された場合（ステップＳ１３でＮＯ）、カウンタＮに１がカウンタ２５によって加算される（ステップＳ１８）。そして、カウンタＶがカウンタ２５によってクリアされる（ステップＳ１９）。
【００５３】
カウンタＮが５より小さい場合（ステップＳ２０でＮＯ）、ステップＳ１２に戻って、再び、テレビ電話の音声信号の取り込み処理が実行される。カウンタＮが５以上である場合（ステップＳ２０でＹＥＳ）、ウェブモードに設定される（ステップＳ２１）。すなわち、ウェブモードに既に設定されている場合は、入力モードの切替は行わない。ＰＢモードに設定されている場合は、ＰＢモードからウェブモードへ変換する旨の信号が、判断部１５によって出力され、切替部１４によって入力モードがウェブモードに設定される。
【００５４】
入力モードが設定されると、テレビ電話接続及びウェブ接続が同時にされている状態であれば（ステップＳ２２でＹＥＳ）、ステップＳ１１に戻って、再び、上記のフローを繰り返す。テレビ電話接続及びウェブ接続が同時にされている状態でなければ（ステップＳ２２でＮＯ）、処理を終了する。以上のようにして、適切に入力モードが設定される。
【００５５】
次に、図６を参照して、画像の変化に基づく判断方法について説明する。図６は、本実施形態に係る移動機の画像の変化に基づく判断時の動作を示すフロー図である。
【００５６】
まず、テレビ電話接続及びウェブ接続が同時にされている状態となると（ステップＳ３１）、テレビ電話信号の解析が開始され、ＴＶ電話の画像信号の取り込み処理が、画像検出部２２によってなされる（ステップＳ３２）。蓄積画像がない場合（ステップＳ３３でＮＯ）は、ステップＳ３２に戻って、再び画像信号の取り込み処理を行う。蓄積画像がある場合（ステップＳ３３でＹＥＳ）は、直前の画像信号と最新の画像信号とが、画像検出部２２によって比較される（ステップＳ３４）
【００５７】
画像信号の比較の結果、画像の変化が画像検出部２２によって検出されたと判断された場合（ステップＳ３５でＹＥＳ）、カウンタＰに１がカウンタ２５によって加算される（ステップＳ３６）。そして、カウンタＷがカウンタ２５によってクリアされる（ステップＳ３７）。
【００５８】
カウンタＰが５より小さい場合（ステップＳ３８でＮＯ）、ステップＳ３２に戻って、再び、テレビ電話の画像信号の取り込み処理を実行する。カウンタＰが５以上である場合（ステップＳ３８でＹＥＳ）、ＰＢモードに設定される（ステップＳ３９）。すなわち、ＰＢモードに既に設定されている場合は、入力モードの切替は行わない。ウェブモードに設定されている場合は、ウェブモードからＰＢモードへ変換する旨の信号が、判断部１５によって切替部１４によって出力され、切替部１４によってＰＢモードに設定される。
【００５９】
一方、画像信号の比較の結果、画像の変化が画像検出部２２によって検出されなかったと判断された場合（ステップＳ３５でＮＯ）、カウンタＷに１がカウンタ２５によって加算される（ステップＳ４０）。そして、カウンタＰがカウンタ２５によってクリアされる（ステップＳ４１）。
【００６０】
カウンタＷが５より小さい場合（ステップＳ４２でＮＯ）、ステップＳ３２に戻って、再び、テレビ電話の画像信号の取り込み処理を実行する。カウンタＷが５以上である場合（ステップＳ４２でＹＥＳ）、ウェブモードに設定される（ステップＳ４３）。すなわち、ウェブモードに既に設定されている場合は、入力モードの切替は行わない。ＰＢモードに設定されている場合は、ＰＢモードからウェブモードへ変換する旨の信号が、判断部１５によって切替部１４によって出力され、切替部１４によってウェブモードに設定される。
【００６１】
入力モードが設定されると、テレビ電話接続及びウェブ接続が同時にされている状態であれば（ステップＳ４４でＹＥＳ）、ステップＳ３１に戻って、再び、上記のフローを繰り返す。テレビ電話接続及びウェブ接続が同時にされている状態でなければ（ステップＳ４４でＮＯ）、処理を終了する。以上のようにして、適切に入力モードが設定される。
【００６２】
更に、図７を参照して、移動機１の位置に基づく判断方法について説明する。図７は、本実施形態に係る移動機の位置に基づく判断時の動作を示すフロー図である。移動機１の位置に基づく判断方法は、テレビ電話接続及びウェブ接続が同時にされている状態において、ウェブサイトと関連性の高い位置が位置抽出部２４によって抽出された場合に実行される。
【００６３】
まず、移動機１の位置情報が、ＧＰＳ２３によって取り込まれる（ステップＳ５１）。ＧＰＳ２３によって取り込まれた（算出された）位置が、ウェブ画像と関連性の高い所定の位置の所定範囲内でない場合（ステップＳ５２でＮＯ）、カウンタＶに１がカウンタ２５によって加算される（ステップＳ５３）。そして、カウンタＮがカウンタ２５によってクリアされる（ステップＳ５４）。
【００６４】
カウンタＶが５より小さい場合（ステップＳ５５でＮＯ）、ステップＳ５１に戻って、再び、移動機１の位置情報の取り込み処理を実行する。カウンタＶが５以上である場合（ステップＳ５５でＹＥＳ）、ＰＢモードに設定される（ステップＳ５６）。すなわち、ＰＢモードに既に設定されている場合は、入力モードの切替は行わない。ウェブモードに設定されている場合は、ウェブモードからＰＢモードへ変換する旨の信号が、判断部１５によって切替部１４によって出力され、切替部１４によってＰＢモードに設定される。
【００６５】
一方、ＧＰＳ２３によって取り込まれた位置が、ウェブ画像と関連性の高い所定の位置の所定範囲内である場合（ステップＳ５２でＹＥＳ）、カウンタＮに１がカウンタ２５によって加算される（ステップＳ５７）。そして、カウンタＶがカウンタ２５によってクリアされる（ステップＳ５８）。
【００６６】
カウンタＮが５より小さい場合（ステップＳ５９でＮＯ）、ステップＳ５１に戻って、再び、移動機１の位置情報の取り込み処理が実行される。カウンタＮが５以上である場合（ステップＳ５９でＹＥＳ）、ウェブモードに設定される（ステップＳ６０）。すなわち、ウェブモードに既に設定されている場合は、入力モードの切替は行わない。ＰＢモードに設定されている場合は、ＰＢモードからウェブモードへ変換する旨の信号が、判断部１５によって切替部１４によって出力され、切替部１４によってウェブモードに設定される。
【００６７】
入力モードが設定されると、テレビ電話接続及びウェブ接続が同時にされている状態であれば（ステップＳ６１でＹＥＳ）、ステップＳ５１に戻って、再び、上記のフローを繰り返す。テレビ電話接続及びウェブ接続が同時にされている状態でなければ（ステップＳ６１でＮＯ）、処理を終了する。以上のようにして、適切に入力モードが設定される。
【００６８】
判断部１５は、音声信号に基づく判断方法、画像の変化に基づく判断方法、移動機１の位置に基づく判断方法のうち、いずれか１つの判断方法により判断してもよいし、３つの判断方法を組み合わせて判断してもよい。例えば、音声信号に基づく判断方法と画像の変化に基づく判断方法との双方の方法において、ＰＢモードに設定すると判断された場合に、ＰＢモードに設定することとしてもよい。
【００６９】
以上説明した本実施形態に係る移動機１では、テレビ電話信号を受信してテレビ電話画像を表示し、同時に、ウェブ受信信号を受信してウェブ画像を表示する。そして、テレビ電話信号とウェブ受信信号との少なくともいずれか一方の信号の解析結果に基づいて、ＰＢモードとウェブモードとの設定の切り替えを行うか否か判断し、その判断に応じて入力モードの設定の切り替えを行う。続いて、ユーザから入力を受け付けると、設定された入力モードに応じた送信信号を送信する。
【００７０】
よって、移動機１において自立的に入力モードの切り替えを判断するので、外部から入力モードを指示する信号を取得できない場合であっても入力モードを適切に切り替えることができる。従って、ユーザが２つのアプリケーションを実行中に入力手段を介して入力を行うと、入力モードの切り替えを意識せずとも、適切な方のアプリケーションに対応すると共に入力に応じた信号を送信することができる。
【００７１】
また、判断部１５は、音検出部２１による解析の結果、ＰＢモードに設定されている状態で音声信号が所定時間検出されない場合に、ＰＢモードからウェブモードへ切り替えると判断する。音声信号が所定時間検出されないときには、テレビ電話における会話が進展していないと推測できる。よって、このタイミングでは、ユーザがウェブサイトに対応する入力を所望する可能性が高い。このような場合、ウェブモードに設定されるので、適切に入力モードの切り替えを行うことができる。
【００７２】
そのような具体的な状況について説明する。例えば、移動機２を利用するオペレータが、移動機１のユーザに対してアンケートを実施している状況である。オペレータは、テレビ電話の音声及び画像を通して、アンケートの質問事項に関する説明を行う。アンケートの回答は、ウェブサイトにより回収する。オペレータが説明の最後に「アンケートにお答え下さい」と発話して、会話を所定時間ストップすると、本実施形態では、音声信号が所定時間検出されないので、移動機１において入力モードの設定がＰＢモードからウェブモードへ切り替わる。ウェブ画像には、「アンケートにお答え下さい。よろしければ、はいと押してください。」と表示され、ユーザがキー１１によって「はい」を選択することにより、キー１１に関連付けられた情報がウェブ送信信号に変換されて「はい」を示す情報がウェブサーバ３へ送信される。このように、ユーザは、テレビ電話とウェブとの２つのアプリケーションを利用しながら、入力モードの切り替えを意識せずとも、アプリケーションに応じた信号を送信することができる。
【００７３】
また、判断部１５は、音検出部２１による解析の結果、ウェブモードに設定されている状態で音声信号が所定時間検出されると、ウェブモードからＰＢモードへ切り替えると判断する。音声信号が所定時間検出されると、テレビ電話における会話が再開したと推測できる。よって、このタイミングでは、ユーザがテレビ電話に対応する入力を所望する可能性が高い。このような場合、ＰＢモードに設定されるので、適切に入力モードの切り替えを行うことができる。これにより、例えば、オペレータ案内／自動ガイダンスの切り替え、テレビ電話で視聴するコンテンツの切り替え、呼び出し内線電話番号の指定、アンケート回答内容等を示す信号をユーザの入力に応じて移動機２へ送信することができる。
【００７４】
また、判断部１５は、画像検出部２２による解析の結果、ＰＢモードに設定されている状態でテレビ電話画像の変化が所定時間検出されない場合に、ＰＢモードからウェブモードへ切り替えると判断する。テレビ電話画像の変化が所定時間検出されないときには、テレビ画像に進展がなく、テレビ電話における会話が進展していないと推測できる。よって、このタイミングでは、ユーザがウェブ画像に対応する入力を所望する可能性が高い。このような場合、ウェブモードに設定されるので、適切に入力モードの切り替えを行うことができる。
【００７５】
そのような具体的な状況について説明する。例えば、上述のように、移動機２を利用するオペレータが、移動機１のユーザに対してアンケートを実施している状況である。オペレータが説明の最後に「アンケートにお答え下さい」と発話して、新たな画像信号の送信が停止すると、本実施形態では、画像の変化が所定時間検出されないので、入力モードがＰＢモードからウェブモードへ切り替わる。この場合も、ユーザは、テレビ電話とウェブとの２つのアプリケーションを利用しながら、入力モード切り替えを意識せずとも入力を行うことができる。
【００７６】
また、判断部１５は、画像検出部２２による解析の結果、ウェブモードに設定されている状態でテレビ電話画像の変化が所定時間検出されると、ウェブモードからＰＢモードへ切り替えると判断する。テレビ電話画像の変化が所定時間検出されないときには、テレビ電話における会話が再開したと推測できる。よって、このタイミングでは、ユーザがテレビ電話に対応する入力を所望する可能性が高い。このような場合、ＰＢモードに設定されるので、適切に入力モードの切り替えを行うことができる。これにより、信号をユーザの入力に応じて移動機２へ送信することができる。
【００７７】
また、判断部１５は、ＰＢモードに設定されている状態で、ＧＰＳ２３によって算出される位置と位置抽出部２４によって特定される位置との間の距離が所定距離以内である場合に、ＰＢモードからウェブモードへ切り替えると判断する。例えば、移動機１が特定のデパートのウェブサイトを閲覧している場合、そのデパートに近づいたときに、ユーザがウェブ画像に対応する入力を所望する可能性が高い。このような場合、ウェブモードに設定されるので、適切に入力モードの切り替えを行うことができる。
【００７８】
また、判断部１５は、ウェブモードに設定されている状態で、ＧＰＳ２３によって算出される位置と位置抽出部２４によって特定される位置との間の距離が所定距離より離れると、ウェブモードからＰＢモードへ切り替えると判断する。例えば、移動機１が特定のデパートのウェブサイトを閲覧している場合であっても、そのデパートから離れた場合は、ユーザがテレビ電話に対応する入力を所望する可能性が高い。このような場合、ウェブモードに設定されるので、適切に入力モードの切り替えを行うことができる。これにより、信号をユーザの入力に応じて移動機２へ送信することができる。
【００７９】
以上、本実施形態について説明したが、本発明は、上記実施形態に限定されず、種々の変形が可能である。
【００８０】
例えば、判断部１５による判断は、図８に示すように、移動機１における設定条件に基づいて行ってもよい。設定条件とは、「受話音量が最小」、「スピーカ受話」等の設定である。図８は、本実施形態の変形例に係る移動機の判断時の動作を示すフロー図である。
【００８１】
まず、テレビ電話接続及びウェブ接続が同時にされている状態において（ステップＳ７１）、受話音量が最小に設定されていないと判断された場合（ステップＳ７２でＮＯ）であって、且つ、スピーカ受話に設定されていないと判断された場合（ステップＳ７３でＮＯ）は、入力モードの切り替えを行わず、ステップＳ７２に戻る。
【００８２】
受話音量が最小に設定されていないと判断された場合（ステップＳ７２でＮＯ）であって、且つ、スピーカ受話に設定されていると判断された場合（ステップＳ７３でＹＥＳ）は、ＰＢモードに設定される（ステップＳ７４）。すなわち、ＰＢモードに既に設定されている場合は、入力モードの切替は行わない。ウェブモードに設定されている場合は、ウェブモードからＰＢモードへ変換する旨の信号が、判断部１５によって切替部１４によって出力され、切替部１４によってＰＢモードに設定される。
【００８３】
受話音量が最小に設定されていると判断された場合（ステップＳ７２でＹＥＳ）は、ウェブモードに設定される（ステップＳ７５）。すなわち、ウェブモードに既に設定されている場合は、入力モードの切替は行わない。ＰＢモードに設定されている場合は、ＰＢモードからウェブモードへ変換する旨の信号が、判断部１５によって切替部１４によって出力され、切替部１４によってウェブモードに設定される。このようにして、適切に入力モードが設定される。
【００８４】
入力モードが設定されると、テレビ電話接続及びウェブ接続が同時にされている状態であれば（ステップＳ７６でＹＥＳ）、ステップＳ７１に戻って、再び、上記のフローを繰り返す。テレビ電話接続及びウェブ接続が同時にされている状態でなければ（ステップＳ７６でＮＯ）、処理を終了する。以上のようにして、適切に入力モードが設定される。
【００８５】
このように、受話音量が最小に設定されている場合は、テレビ電話による会話が進展していないと推測できる。よって、このタイミングでは、ユーザがウェブ画像に対応する入力を所望する可能性が高い。このような場合、ウェブモードに設定されるので、適切に入力モードの切り替えを行うことができる。
【００８６】
また、スピーカ受話に設定されている場合は、テレビ電話による会話がなされていると推測できる。よって、このタイミングでは、ユーザがウェブ画像に対応する入力を所望する可能性が高い。このような場合、ＰＢモードに設定されるので、適切に入力モードの切り替えを行うことができる。
【００８７】
また、例えば、判断部１５による判断は、時刻に基づいて行ってもよい。この場合、予め決められた時刻に予め決められた入力モードに切り替えることを設定する。そして、テレビ電話及びウェブサイトが同時に接続されている状態において、予め決められた時刻になった場合に、予め決められた入力モードに切り替える。
【００８８】
また、例えば、判断部１５による判断は、時間に基づいて行ってもよい。この場合、テレビ電話及びウェブサイトが同時に接続されている状態が始まった時点から所定時間経過したときに、予め決められた入力モードに切り替える。
【００８９】
上記実施形態では、同時に実行するアプリケーションとしてテレビ電話及びウェブサイトの閲覧を例に挙げたが、これに限られない。例えば、通常の電話及びウェブサイトの閲覧、電話及び無線ＬＡＮ機能を用いたデータ通信、テレビ電話及びゲーム等の移動機内コンテンツの実行、などを挙げることができる。また、２つのアプリケーションは、互いに関連性がない場合であってもよい。
【図面の簡単な説明】
【００９０】
【図１】本実施形態に係る移動機の構成を示す図である。
【図２】本実施形態に係る移動機が備える表示部を示す図である。
【図３】本実施形態に係る移動機のハードウェア構成図である。
【図４】本実施形態に係る移動機の動作概要を示すフロー図である。
【図５】本実施形態に係る移動機の音声信号に基づく判断時の動作を示すフロー図である。
【図６】本実施形態に係る移動機の画像の変化に基づく判断時の動作を示すフロー図である。
【図７】本実施形態に係る移動機の位置に基づく判断時の動作を示すフロー図である。
【図８】本実施形態の変形例に係る移動機の判断時の動作を示すフロー図である。
【符号の説明】
【００９１】
１…移動機（通信端末）、１１…キー（入力手段）、１２…表示部（表示手段）、１３…送受信部（送信手段、受信手段）、１４…切替部（切替手段）、１５…判断部（判断手段）、２１…音検出部（音検出手段）、２２…画像検出部（画像検出手段）、２３…ＧＰＳ（位置特定手段）、２４…位置抽出部（位置抽出手段）。
【図１】
2009004904.tif 000003
【図３】
2009004904.tif 000004
【図４】
2009004904.tif 000005
【図５】
2009004904.tif 000006
【図６】
2009004904.tif 000007
【図７】
2009004904.tif 000008
【図８】
2009004904.tif 000009
【図２】
2009004904.tif 000010